(57)【要約】【課題】端末からの操作によりこの端末を特定の内線番号へ登録して内線通話の使用を可能にする。【解決手段】内線端末１１の呼接続処理を行う呼接続装置１０は、外線端末２１の呼接続処理を行う他の呼接続装置２０との間で外線端末２１から発信される呼の接続処理を行う呼制御部６０と、呼制御部６０により接続された外線端末２１との呼において外線端末２１から送信された内線の登録要求を受信する登録要求受信部６１と、登録要求を送信した外線端末２１に呼接続装置固有の識別子を含む内線番号を登録する端末登録部６３と、外線端末２１に登録された内線番号を他の呼接続装置２０に通知する通知部６４を備える。【選択図】図４
2014003577.tif 000002
【特許請求の範囲】
【請求項１】
内線端末の呼接続処理を行う呼接続装置であって、
外線端末の呼接続処理を行う他の呼接続装置との間で、外線端末から発信される呼の接続処理を行う呼制御部と、
前記呼制御部により接続された外線端末との呼において前記外線端末から送信された内線の登録要求を受信する登録要求受信部と、
登録要求を送信した外線端末に、前記呼接続装置固有の識別子を含む内線番号を登録する端末登録部と、
前記外線端末に登録された内線番号を前記他の呼接続装置に通知する通知部と、
を備えることを特徴とする呼接続装置。
【請求項２】
前記呼制御部は、外線端末に登録された内線番号を着信側番号とする内線端末の発呼を接続するための呼接続処理を前記他の呼接続装置と行うことを特徴とする請求項１に記載の呼接続装置。
【請求項３】
前記呼制御部は、発信側の内線端末の内線番号が付加された呼接続要求を前記他の呼接続装置へ送信することを特徴とする請求項２に記載の呼接続装置。
【請求項４】
外線端末の発呼の発信側番号として、外線端末に登録された内線番号を着信側の内線端末に通知する番号通知部を備えることを特徴とする請求項１〜３のいずれか一項に記載の呼接続装置。
【請求項５】
前記端末登録部は、外線端末に内線番号を登録してから所定期間経過後に登録を解除することを特徴とする請求項４のいずれか一項に記載の呼接続装置。
【請求項６】
外線端末の呼接続処理を行う呼接続装置であって、
内線端末の呼接続処理を行う他の呼接続装置との間で、外線端末と内線端末と間の呼接続処理を行う呼制御部と、
前記他の呼接続装置により外線端末に登録された前記他の呼接続装置固有の識別子を含んだ内線番号を、前記他の呼接続装置から受信する受信部と、を備え、
前記呼制御部は、外線端末の発呼の着信側番号に指定された内線番号により識別される前記他の呼接続装置との間で、前記発呼を接続するための呼接続処理を行う、
ことを特徴とする呼接続装置。
【請求項７】
内線端末の呼接続処理を行う第１の呼接続装置と外線端末の呼接続処理を行う第２の呼接続装置との間で、外線端末から発信される呼の接続処理を行い、
接続された前記呼において前記外線端末から送信された内線の登録要求を、第１の呼接続装置で受信し、
登録要求を送信した外線端末に第１の呼接続装置に固有の識別子を含む内線番号を登録し、
前記外線端末に登録された内線番号を第１の呼接続装置から第２の呼接続装置に通知する、
を備えることを特徴とする呼制御方法。
【発明の詳細な説明】
【技術分野】
【０００１】
本明細書で論じられる実施態様は、電話機の呼制御に関する。
【背景技術】
【０００２】
電話機の呼制御に関する技術として、内線網を構成する電話交換装置に設けられたログイン専用の電話番号に、ユーザが外線や専用線を介して電話端末から発信を行い、外線若しくは専用線の先の電話端末の番号を電話交換装置に登録することが知られている。
【先行技術文献】
【特許文献】
【０００３】
【特許文献１】特開２００４−３５７２０８号公報
【発明の概要】
【発明が解決しようとする課題】
【０００４】
特定の内線番号で内線通話をしようとした時に、この内線番号で内線通話を発着信できる電話端末がユーザの手元にないことがある。このような場合に、ユーザの手元にある他の端末を用いてこの内線番号で発着信できることが望まれる。
【０００５】
開示の装置及び方法は、端末からの操作によりこの端末を特定の内線番号へ登録して、登録した端末による内線通話の使用を可能にすることを目的とする。
【課題を解決するための手段】
【０００６】
装置の一観点によれば、内線端末の呼接続処理を行う呼接続装置が与えられる。呼接続装置は、外線端末の呼接続処理を行う他の呼接続装置との間で、外線端末から発信される呼の接続処理を行う呼制御部と、呼制御部により接続された外線端末との呼において外線端末から送信された内線の登録要求を受信する登録要求受信部と、登録要求を送信した外線端末に、呼接続装置固有の識別子を含む内線番号を登録する端末登録部と、外線端末に登録された内線番号を他の呼接続装置に通知する通知部を備える。
を備える
【０００７】
他の装置の一観点によれば、外線端末の呼接続処理を行う呼接続装置が与えられる。呼接続装置は、内線端末の呼接続処理を行う他の呼接続装置との間で、外線端末と内線端末と間の呼接続処理を行う呼制御部と、他の呼接続装置により外線端末に登録された他の呼接続装置固有の識別子を含んだ内線番号を、他の呼接続装置から受信する受信部と、を備える。呼制御部は、外線端末の発呼の着信側番号に指定された内線番号により識別される他の呼接続装置との間で、発呼を接続するための呼接続処理を行う。
【０００８】
方法の一観点によれば、呼制御方法が与えられる。呼制御方法は、内線端末の呼接続処理を行う第１の呼接続装置と外線端末の呼接続処理を行う第２の呼接続装置との間で、外線端末から発信される呼の接続処理を行うこと、接続された呼において外線端末から送信された内線の登録要求を、第１の呼接続装置で受信すること、登録要求を送信した外線端末に第１の呼接続装置に固有の識別子を含む内線番号を登録すること、外線端末に登録された内線番号を第１の呼接続装置から第２の呼接続装置に通知すること、を含む。
【発明の効果】
【０００９】
本件開示の装置又は方法によれば、端末からの操作によりこの端末を特定の内線番号へ登録して、登録した端末で内線通話を使用することが可能になる。
【図面の簡単な説明】
【００１０】
【図１】通信システムの構成例を示す図である。
【図２】構内サーバのハードウエア構成の一例を示す図である。
【図３】センタサーバのハードウエア構成の一例を示す図である。
【図４】構内サーバの機能構成の一例を示す図である。
【図５】内線利用データの一例を示す図である。
【図６】発信側の内線番号が設定されたINVITEメッセージのヘッダの例を示す図である。
【図７】利用許可データの一例を示す図である。
【図８】センタサーバの機能構成の一例を示す図である。
【図９】プロファイルデータの一例を示す図である。
【図１０】アドレスデータの一例を示す図である。
【図１１】構内ネットワークデータの一例を示す図である。
【図１２】内線番号の登録時の信号シーケンスの第１例を示す図である。
【図１３】（Ａ）は利用許可データの例を示し、（Ｂ）及び（Ｃ）は図１２の登録処理によるプロファイルデータ及び内線利用データの変化を示す。
【図１４】図１２で登録された移動電話への着信動作の説明図である。
【図１５】図１２で登録された移動電話の発信動作の説明図である。
【図１６】内線番号の解除時の信号シーケンスの第１例を示す図である。
【図１７】（Ａ）及び（Ｂ）は図１６の解除処理によるプロファイルデータ及び内線利用データの変化を示す。
【図１８】内線番号の登録時の信号シーケンスの第２例を示す図である。
【図１９】（Ａ）は利用許可データの例を示し、（Ｂ）及び（Ｃ）は図１８の登録処理によるプロファイルデータ及び内線利用データの変化を示す。
【図２０】内線番号の解除時の信号シーケンスの第２例を示す図である。
【図２１】（Ａ）及び（Ｂ）は図２０の解除処理によるプロファイルデータ及び内線利用データの変化を示す。
【図２２】内線番号の登録時の信号シーケンスの第３例を示す図である。
【図２３】（Ａ）は利用許可データの例を示し、（Ｂ）及び（Ｃ）は図２２の登録処理によるプロファイルデータ及び内線利用データの変化を示す。
【図２４】図２２で登録された内線端末への着信動作の説明図である。
【図２５】図２２で登録された内線端末の発信動作の説明図である。
【図２６】内線番号の解除時の信号シーケンスの第３例を示す図である。
【図２７】（Ａ）及び（Ｂ）は図１６の解除処理によるプロファイルデータ及び内線利用データの変化を示す。
【図２８】内線番号に登録される端末を移動電話に切り替える際のセンタサーバの動作の説明図である。
【図２９】プロファイル変更要求受信時のセンタサーバの動作の説明図である。
【図３０】移動電話が着信側である場合の通話時のセンタサーバの動作の説明図である。
【図３１】移動電話が発信側である場合の通話時のセンタサーバの動作の説明図である。
【図３２】内線番号に登録される端末を移動電話に切り替える際の構内サーバの動作の説明図である。
【図３３】図３２の登録処理の説明図である。
【図３４】図３２の解除処理の説明図である。
【図３５】内線番号に登録される端末を内線端末に切り替える際の構内サーバの動作の説明図である。
【図３６】内線番号の自動解除動作の説明図である。
【図３７】内線端末が着信側である場合の通話時の構内サーバの動作の説明図である。
【図３８】内線端末が発信側である場合の通話時の構内サーバの動作の説明図である。
【発明を実施するための形態】
【００１１】
＜１．通信システムの構成例＞
以下、添付する図面を参照して好ましい実施例について説明する。図１は、通信システムの一例の構成を示す図である。通信システム１は、構内ネットワーク２と事業者ネットワーク３を含む。構内ネットワーク２は、構内サーバ１０、内線端末１１ａ〜１１ｃ、インターネットプロトコル（IP: Internet Protocol）網１２、アクセスポイント１３及びゲートウエイ装置１４、構内データベース１５を含んでいる。構内サーバ１０は、所定の呼制御プロトコルを使用して、アクセスポイント１３を経由してIP網１２に接続される内線端末１１ａ〜１１ｃ間の内線通話の呼制御を行う。
【００１２】
事業者ネットワーク３は、電話通信サービスを提供する通信事業者によって運営される外線通信ネットワークである。事業者ネットワーク３は、センタサーバ２０、移動電話２１ａ〜２１ｃ、IP網２２、基地局装置２３、ゲートウエイ装置２４及びセンタデータベース２５を含む。移動電話２１ａ〜２１ｃで行われる通話により生じるユーザデータは、基地局装置２３との間の無線通信によって送受信され、ゲートウエイ装置２４を介してIP網２２で伝送される。センタサーバ２０は、所定の呼制御プロトコルを使用して、事業者ネットワーク３における移動電話２１ａ〜２１ｃ間の通話の呼制御を行う。
【００１３】
なお、添付する図面及び以下の説明において、ゲートウエイ装置、データベース及び基地局装置をそれぞれ、「ゲートウエイ」、「ＤＢ」及び「基地局」と表記することがある。また、内線端末１１ａ〜１１ｃを総称して「内線端末１１」と表記することがある。移動電話２１ａ〜２１ｃを総称して「移動電話２１」と表記することがある。内線端末１１及び移動電話２１を総称して「端末」と表記することがある。
【００１４】
構内ネットワーク２のIP網１２は、ゲートウエイ１４を介して事業者ネットワーク３と接続されている。構内サーバ１０とセンタサーバ２０は、所定の呼制御プロトコルに従った呼制御メッセージを交換することにより、内線端末１１と移動電話２１との間の呼制御を行う。内線端末１１と移動電話２１との間の呼制御に使用される呼制御プロトコルは、例えばＳＩＰ（Session Initiation Protocol）であってよい。他の実施例では内線端末１１と移動電話２１の間の呼制御に、ＭＧＣＰ（Media Gateway Control Protocol）やITU-T（International Telecommunication Union Telecommunication Standardization Sector）で定められたＨ．３２３が使用されてもよい。
【００１５】
以下の説明では、内線端末１１と移動電話２１との間の呼制御に使用される呼制御プロトコルの例示としてＳＩＰを使用する。但し、これらの例示は、本明細書により記載される呼制御が、ＳＩＰを使用するものに限定して適用されることを意図するものではない。
【００１６】
以下で説明するように、構内ネットワーク２では１つの内線番号に登録される端末が複数の端末の間で切り替わる。このため構内ネットワーク２は、各内線番号が付与された端末を登録するための構内ＤＢ１５を備える。構内ＤＢ１５は構内サーバ１０からアクセス可能なデータベースである。
【００１７】
構内ネットワーク２の内線番号には、移動電話２１が登録されることがある。このため、事業者ネットワーク３は、移動電話２１が内線として登録された構内ネットワーク２の識別情報を登録するためのセンタＤＢ２５を備える。センタＤＢ２５は、センタサーバ２０からアクセス可能なデータベースである。
【００１８】
＜２．ハードウエア構成例＞
続いて、図１に示す構内サーバ１０とセンタサーバ２０のハードウエア構成例を説明する。図２に、構内サーバ１０のハードウエア構成の一例を示す。構内サーバ１０は、プロセッサ４０と、メモリ４１と、補助記憶装置４２と、ネットワークインタフェース回路４３と、媒体読取装置４４を備える。なお、以下の説明及び添付図面において、ネットワークインタフェースを「ＮＩＦ」と表記することがある。
【００１９】
プロセッサ４０は、構内サーバ１０の動作制御や、以下に説明する呼制御処理を行う。補助記憶装置４２には、プロセッサ４０にこれらの処理を実行させるためのコンピュータプログラムが格納される。補助記憶装置４２は、コンピュータプログラムを記憶するための不揮発性記憶装置を備える。不揮発性記憶装置は、例えば、読み出し専用メモリ（ROM: Read Only Memory）や、フラッシュメモリ、ハードディスクであってよい。メモリ４１には、プロセッサ４０がコンピュータプログラムを実行する際に使用される各データ及び一時データが格納される。メモリ４１は、ランダムアクセスメモリ（RAM: Random Access Memory）を含んでいてよい。
【００２０】
ＮＩＦ回路４３は、構内サーバ１０とIP網１２との間でパケット信号を送受信するための通信インタフェース回路である。媒体読取装置４４は、コンピュータに読み取り可能な可搬型記録媒体に記憶されたデータを読み取る。媒体読取装置４４は、例えばＣＤ（Compact Disc）−ＲＯＭドライブ装置やＤＶＤ（Digital Versatile Disk）−ＲＯＭドライブ装置、フレキシブルディスクドライブ装置、ＣＤ−Ｒ（Compact Disc Recordable）ドライブ装置であってよい。媒体読取装置４４は、ＤＶＤ−Ｒ（Digital Versatile Disk Recordable）ドライブ装置、ＭＯ（Magneto-Optical disk）ドライブ装置、フラッシュメモリ装置へのアクセス装置であってもよい。以下に説明する呼制御処理をプロセッサ４０に実行させるコンピュータプログラムは、コンピュータ読み取り可能な可搬型記録媒体に格納されて頒布される。コンピュータプログラムは、媒体読取装置４４により可搬型記録媒体から読み取られ、補助記憶装置４２にインストールされる。
【００２１】
図３は、センタサーバ２０のハードウエア構成の一例を示す図である。センタサーバ２０は、プロセッサ５０と、メモリ５１と、補助記憶装置５２と、ネットワークインタフェース回路５３と、媒体読取装置５４を備える。プロセッサ５０は、センタサーバ２０の動作制御や、以下に説明する呼制御処理を行う。補助記憶装置５２には、プロセッサ５０にこれらの処理を実行させるためのコンピュータプログラムが格納される。
【００２２】
補助記憶装置５２は、コンピュータプログラムを記憶するための不揮発性記憶装置を備える。不揮発性記憶装置は、例えば、読み出し専用メモリや、フラッシュメモリ、ハードディスクであってよい。メモリ５１には、プロセッサ５０がコンピュータプログラムを実行する際に使用される各データ及び一時データが格納される。メモリ５１は、ランダムアクセスメモリを含んでいてよい。
【００２３】
ＮＩＦ回路５３は、センタサーバ２０とIP網２２との間でパケット信号を送受信するための通信インタフェース回路である。媒体読取装置５４は、コンピュータに読み取り可能な可搬型記録媒体に記憶されたデータを読み取る。媒体読取装置５４は、例えばＣＤ−ＲＯＭドライブ装置やＤＶＤ−ＲＯＭドライブ装置、フレキシブルディスクドライブ装置、ＣＤ−Ｒドライブ装置であってよい。媒体読取装置５４は、ＤＶＤ−Ｒドライブ装置、ＭＯドライブ装置、フラッシュメモリ装置へのアクセス装置であってもよい。以下に説明する呼制御処理をプロセッサ５０に実行させるコンピュータプログラムは、コンピュータ読み取り可能な可搬型記録媒体に格納されて頒布される。コンピュータプログラムは、媒体読取装置５４により可搬型記録媒体から読み取られ、補助記憶装置５２にインストールされる。
【００２４】
なお、図２及び図３に示すハードウエア構成は実施例の説明のための例示にすぎない。以下に記載される動作を実行するものであれば、本明細書に記載される通信システムは、他のどのようなハードウエア構成を採用してもよい。
【００２５】
＜３．機能構成例＞
続いて、上記ハードウエア構成によって実現される機能について説明する。図４は、構内サーバ１０の機能構成の一例を示す図である。構内サーバ１０は、呼制御部６０と、登録要求受信部６１と、認証部６２と、端末情報登録部６３と、内線情報登録要求部６４と、メッセージ生成部６５と、音声信号分析部６６と、番号情報指定部６７を備える。これら構成要素の動作は、図２に示すプロセッサ４０によって実行される。なお、構内サーバ１０のこれら構成要素による動作の詳細は下記「４．切替動作の例」で説明するが、本節では概要を説明する。
【００２６】
呼制御部６０は、構内ネットワーク２内の内線通話の呼制御を行う。その際に、呼制御部６０は現在内線番号に登録されている端末を特定する。構内ＤＢ１５には、内線番号に登録されている端末の情報である内線利用データ６８が収容されている。
【００２７】
図５は、内線利用データ６８の一例を示す図である。内線利用データ６８は、情報要素「内線番号」、「初期端末」、「登録端末」、「解除期間」及び「登録時刻」を含む。情報要素「内線番号」は対象の内線番号を示す。情報要素「初期端末」は対象の内線番号に初期状態で登録される内線端末１１の内線番号又は移動電話２１の移動電話番号を示す。情報要素「登録端末」は、対象の内線番号に現在登録されている内線端末１１の内線番号又は移動電話２１の移動電話番号を示す。情報要素「解除期間」は、内線番号に端末を登録した後に自動的に登録を解除するまでの期間を指定する。内線番号の登録は、登録時刻から解除期間経過後に自動的に解除される。情報要素「登録時刻」は、登録端末への内線番号を登録した時刻を示す。
【００２８】
以下の説明において、内線利用データ６８の情報要素「初期端末」に内線番号及び移動電話番号がそれぞれ登録された内線端末１１及び移動電話２１を初期端末と表記することがある。内線利用データ６８の情報要素「登録端末」に内線番号及び移動電話番号がそれぞれ登録された内線端末１１及び移動電話２１を登録端末と表記することがある。
【００２９】
例えば、図５の第１行目のデータは、内線番号「711-1111」に登録された初期端末及び登録端末が、それぞれ内線番号「711-1111」の内線端末１１及び移動電話番号「090-1234-1111」の移動電話２１であることを示す。またこのデータは、移動電話番号「090-1234-1111」の移動電話２１の登録が２時間で自動解除されることを示す。またこのデータは、登録時刻は「１３時１分３２秒」であることを示す。すなわちこの登録は１５時１分３２秒に自動解除される。
【００３０】
図５の第２行目のデータは、内線番号「711-3333」に登録された初期端末及び登録端末が、それぞれ移動電話番号「090-1234-3333」の内線移動電話２１及び移動電話番号「080-3456-2222」の移動電話２１であることを示す。またこのデータは、移動電話番号「080-3456-2222」の移動電話２１の登録が１時間で自動解除されることを示す。またこのデータは、登録時刻は「１４時１１分５４秒」であることを示す。すなわちこの登録は１５時１１分５４秒に自動解除される。
【００３１】
図４を参照する。内線端末１１からの発信が、移動電話２１に登録されている内線番号を着信側番号として指定する場合には、呼制御部６０はセンタサーバ２０との間で呼接続処理を実行する。呼制御部６０は、セッション接続メッセージとしてのINVITEメッセージを生成する際に、内線利用データ６８に登録された移動電話番号へ着信先識別子を変換する。また、呼制御部６０は、INVITEメッセージのヘッダに発信側の内線番号を設定する。呼制御部６０は、INVITEメッセージをセンタサーバ２０へ送信する。
【００３２】
内線番号が設定されたINVITEメッセージのヘッダの例を図６に示す。構内サーバ１０は、参照符号１００で示す特殊ヘッダに発信側の内線番号を設定する。特殊ヘッダは、構内サーバ１０側で設定された内線番号を含む特殊ヘッダであることを示すタグ「Special-headerA」と、発信側の内線番号「711-2222」を含むURL（Uniform Resource Locator）を有する。
【００３３】
図４を参照する。内線端末１１間の呼の接続において、着信側の内線端末１１が登録端末として登録されている場合には、呼制御部６０は、着信側番号を登録端末の内線番号に変換して内線端末間の呼を接続する。
【００３４】
登録要求受信部６１は、予め定められた電話番号である「登録番号」及び「解除番号」への端末の発信を受信する。登録番号は、登録端末として端末を内線利用データ６８へ登録する登録処理を開始させるために使用される。解除番号は、内線利用データ６８への端末の登録を解除する解除処理を開始させるために使用される。
【００３５】
認証部６２は、登録番号へ発信した端末の認証処理を実行する。認証部６２は、登録番号へ発信した端末が、内線番号への登録が許可された端末であるか否かを判断する。構内ＤＢ１５には、内線番号への登録が許可された端末の情報である利用許可データ６９が収容されている。
【００３６】
図７は、利用許可データ６９の一例を示す図である。利用許可データ６９は、情報要素「内線番号」、「登録可能端末」、「パスワード」及び「解除期間」を含む。情報要素「内線番号」は対象の内線番号を示す。情報要素「登録可能端末」は、対象の内線番号へ登録端末として登録されることが許されている端末の内線番号又は移動電話番号を示す。情報要素「パスワード」は登録の際に入力するパスワードを示す。情報要素「解除期間」は、「登録可能端末」で指定された端末を内線番号に登録した後に自動的に登録を解除するまでの期間を指定する。
【００３７】
なお、以下の説明において、内線利用データ６８の情報要素「登録可能端末」に内線番号及び移動電話番号がそれぞれ登録された内線端末１１及び移動電話２１を登録可能端末と表記することがある。
【００３８】
例えば、図７の第１行目のデータは、内線番号「711-1111」の登録可能端末が、移動電話番号「090-1234-1111」の移動電話２１であり、登録の際のパスワードが「1111」であることを示す。またこのデータは、移動電話番号「090-1234-1111」の移動電話２１の登録が２時間で自動解除されることを示す。
【００３９】
図７の第２行目のデータは、内線番号「711-3333」の登録可能端末が、移動電話番号「080-3456-2222」の移動電話２１であり、登録の際のパスワードが「2222」であることを示す。またこのデータは、移動電話番号「080-3456-2222」の移動電話２１の登録が１時間で自動解除されることを示す。
【００４０】
図７の第３行目のデータは、内線番号「711-3333」の登録可能端末が、内線番号「711-4444」の内線端末１１であり、登録の際のパスワードが「4444」であることを示す。またこのデータは、内線番号「711-4444」の内線端末１１の登録が３時間で自動解除されることを示す。
【００４１】
認証部６２は、端末の認証処理において、登録番号へ発信した端末が登録可能端末であるか否かを判断する。また認証部６２は、端末から入力されたパスワードが、利用許可データで指定されるパスワードと一致するか否かを判断する。認証部６２は、登録番号へ発信した端末が登録可能端末であり、パスワードが一致する場合にのみ端末の登録を許す。
【００４２】
メッセージ生成部６５は、登録番号へ発信した端末へ、登録先の内線番号及びパスワードの入力を促すメッセージを生成して送信する。メッセージは、例えばトーキーのような自動音声ガイダンスであってもよく、端末の表示デバイスに表示される可視情報であってもよい。登録先の内線番号及びパスワードがDTMF（Dual-Tone Multi-Frequency）等の音声信号で入力される場合に、音声信号分析部６６は、音声信号の分析結果を認証部６２へ与える。
【００４３】
端末情報登録部６３は、内線利用データ６８への登録端末の登録処理及び解除処理を実行する。端末情報登録部６３は、登録番号へ発信した端末を登録端末として内線利用データ６８へ登録する。端末情報登録部６３は、解除番号へ発信した端末に対する内線番号の登録を解除し、この内線番号に登録される端末を初期端末に戻す。また、端末情報登録部６３は、内線利用データ６８へ登録端末が登録されている期間が、情報要素「解除期間」で指定される期間に至った時に、登録端末に対する内線番号の登録を解除し、この内線番号に登録される端末を初期端末に戻す。
【００４４】
図４を参照する。内線情報登録要求部６４は、登録処理及び解除処理に伴う移動電話２１への内線番号の登録状態の変動を通知する、プロファイル変更要求をセンタサーバ２０に送信する。プロファイル変更要求を伴う登録処理の一例は、移動電話２１を内線番号に登録する登録処理である。この場合、内線情報登録要求部６４は、プロファイル変更要求によって移動電話２１に登録される内線番号をセンタサーバ２０に通知する。また、登録対象の内線番号の初期端末が内線移動電話２１である場合に、内線情報登録要求部６４は、プロファイル変更要求によって内線移動電話２１を特定するための情報をセンタサーバ２０に通知する。プロファイル変更要求は、内線移動電話２１の移動電話番号で内線移動電話２１を特定してもよく、内線移動電話２１に登録された内線番号によって、間接的に内線移動電話２１を特定してもよい。
【００４５】
プロファイル変更要求を伴う登録処理の他の例は、初期端末として内線移動電話２１が登録された内線番号に、内線端末１１を登録する登録処理である。この場合、内線情報登録要求部６４は、プロファイル変更要求によって初期端末である内線移動電話を特定するための情報をセンタサーバ２０に通知する。
【００４６】
プロファイル変更要求を伴う解除処理の例は、移動電話２１への内線番号の登録を解除する解除処理である。この場合、内線情報登録要求部６４は、プロファイル変更要求によって、移動電話２１を特定するための情報をセンタサーバ２０に通知する。プロファイル変更要求は、移動電話２１の移動電話番号で移動電話２１を特定してもよく、移動電話２１に登録された内線番号によって、間接的に移動電話２１を特定してもよい。また、解除対象の内線番号の初期端末が内線移動電話２１である場合に、内線情報登録要求部６４は、プロファイル変更要求によって内線移動電話２１を特定するための情報をセンタサーバ２０に通知する。
【００４７】
プロファイル変更要求を伴う解除処理の他の例には、初期端末として内線移動電話２１が登録された内線番号に内線端末１１が登録された後で、この登録を解除する解除処理である。この場合、内線情報登録要求部６４は、プロファイル変更要求によって初期端末である内線移動電話２１を特定するための情報をセンタサーバ２０に通知する。
【００４８】
番号情報指定部６７は、登録端末として登録された移動電話２１が内線番号宛に発信した場合に、発信側番号を移動電話２１に登録した内線番号に変換して、ナンバーディスプレイ用の発信側番号として着信側の端末に通知する。登録端末として登録された内線端末１１が内線番号宛に発信した場合も同様である。
【００４９】
続いて、センタサーバ２０の機能について説明する。図８は、センタサーバ２０の機能構成の一例を示す図である。センタサーバ２０は、呼制御部７０と、内線情報登録部７１と、番号情報指定部７２を備える。なお、これら構成要素の動作は、図３に示すプロセッサ５０によって実行される。なお、センタサーバ２０のこれら構成要素による動作の詳細は下記「４．切替動作の例」で説明するが、本節では概要を説明する。
【００５０】
呼制御部７０は、事業者ネットワーク３を経由する通話の呼制御を行う。その際に、呼制御部７０は、移動電話２１が構内ネットワーク２の内線番号に登録されているか否かを判断する。センタＤＢ２５には、構内ネットワーク２の内線番号に登録されている移動電話２１の情報であるプロファイルデータ７３が収容されている。
【００５１】
図９は、プロファイルデータ７３の一例を示す図である。プロファイルデータ７３は、情報要素「移動電話番号」、「状態」、「内線番号」、「プレフィックス」、「構内ネットワークＩＤ」及び「構内サーバＩＤ」を含む。情報要素「移動電話番号」は、対象の移動電話２１の移動電話番号を示す。情報要素「状態」は、対象の移動電話２１への内線番号の登録が有効であるか無効であるかを示す。
【００５２】
情報要素「内線番号」は、対象の移動電話２１が登録される内線番号を示す。情報要素「プレフィックス」は、対象の移動電話２１が登録される内線番号のプレフィックスを示す。プレフィックスは、例えば、構内ネットワーク２で使用される全ての内線番号の間で共通する上位桁の番号であってよい。情報要素「構内ネットワークＩＤ」は、対象の移動電話２１が内線番号に登録される構内ネットワーク２の識別子を示す。情報要素「構内サーバＩＤ」は、対象の移動電話２１が内線番号に登録される構内ネットワーク２内の構内サーバ１０の識別子を示す。なお、以下の説明において、移動電話２１毎にプロファイルデータ７３に登録されている個々の情報を、それぞれ移動電話２１の「プロファイル情報」と表記することがある。
【００５３】
例えば、図９の第１行目のデータは、移動電話番号「090-1234-1111」の移動電話２１のプロファイル情報であり、この移動電話２１が内線番号「711-1111」に登録され、登録が有効であることを示す。このプロファイル情報は、移動電話番号「090-1234-1111」の移動電話２１が登録された内線番号「711-1111」のプレフィックスが内線番号の上位３桁「711」であることを示す。このプロファイル情報は、移動電話番号「090-1234-1111」の移動電話２１に内線番号が登録される構内ネットワーク２の識別子、及び構内ネットワーク２内の構内サーバ１０の識別子が、それぞれ「１」及び「１０」であることを示す。
【００５４】
図９の第２行目のデータは、移動電話番号「080-3456-2222」の移動電話２１のプロファイル情報であり、この移動電話２１に対する内線番号の登録が現在無効であることを示す。
【００５５】
図９の第３行目のデータは、移動電話番号「090-1234-3333」の移動電話２１のプロファイル情報であり、この移動電話２１が内線番号「711-3333」に登録され、登録が有効であることを示す。このプロファイル情報は、移動電話番号「090-1234-3333」の移動電話２１が登録された内線番号「711-3333」のプレフィックスが内線番号の上位３桁「711」であることを示す。このプロファイル情報は、移動電話番号「090-1234-3333」の移動電話２１に内線番号が登録される構内ネットワーク２、及び構内ネットワーク２内の構内サーバ１０の識別子が、それぞれ「1」及び「10」であることを示す。
【００５６】
図８を参照する。移動電話２１からの発信が構内ネットワーク２の内線番号を着信側番号として指定する場合に、呼制御部７０は、プロファイルデータ７３を参照して、移動電話２１に対する内線番号の登録が有効であるか否かを判断する。移動電話２１に対する内線番号の登録が有効である場合に、呼制御部７０は、プロファイルデータ７３を参照して構内ネットワーク２と構内サーバ１０を識別する。呼制御部７０は、プロファイルデータ７３の情報要素「構内サーバＩＤ」で特定される構内サーバ１０との間で呼接続処理を実行する。
【００５７】
呼制御部７０は、INVITEメッセージを生成する際に、移動電話２１に登録された内線番号をプロファイルデータ７３から取得し、発信側の内線番号として、INVITEメッセージのヘッダに設定する。図６を参照して、センタサーバ２０で内線番号が設定されたINVITEメッセージのヘッダの例を説明する。センタサーバ２０は、参照符号１０１で示す特殊ヘッダに発信側の内線番号を設定する。特殊ヘッダは、センタサーバ２０側で設定された内線番号を含む特殊ヘッダであることを示すタグ「Special-headerB」と、発信側の内線番号「711-1111」を含むURLを有する。
【００５８】
図８を参照する。呼制御部７０は、INVITEメッセージを構内サーバ１０へ送信する。呼制御部７０は、プロファイルデータ７３で指定された「構内サーバＩＤ」に応じて、メッセージの送信先である構内サーバ１０のアドレスを特定する。例えば、呼制御部７０は、図１０に示すようなアドレスデータ７４に従って、送信先の構内サーバ１０のアドレスを特定する。アドレスデータ７４は、情報要素「構内サーバＩＤ」及び「アドレス」を含む。情報要素「構内サーバＩＤ」は、対象の構内サーバ１０の識別子を示す。情報要素「アドレス」対象の構内サーバ１０のアドレスを示す。アドレスデータ７４は、センタＤＢ２５に収容される。
【００５９】
図８を参照する。呼制御部７０は、移動電話２１からの発信の着信側番号が登録番号又は解除番号である場合に、移動電話２１と構内サーバ１０との呼を接続するINVITEメッセージを構内サーバ１０へ送信する。登録番号又は解除番号への発信により、端末を登録端末として内線利用データ６８へ登録する登録処理又は内線利用データ６８の登録を解除する解除処理が開始する。
【００６０】
登録処理又は解除処理が完了すると、内線情報登録部７１は、登録処理及び解除処理に伴う移動電話２１への内線番号の登録状態の変動を通知するプロファイル変更要求を構内サーバ１０から受信する。プロファイル変更要求が内線番号への移動電話２１の登録処理に伴う要求である場合、内線情報登録部７１には、移動電話２１に登録される内線番号がプロファイル変更要求で通知される。内線情報登録部７１は、内線番号とそのプレフィックスをプロファイルデータ７３に登録し、情報要素「状態」の値を「有効」に設定する。
【００６１】
内線情報登録部７１は、プレフィックスに基づいて、移動電話２１に内線番号が登録される構内ネットワーク２の識別子、及び構内ネットワーク２内の構内サーバ１０の識別子を特定する。内線情報登録部７１は、これらの識別子をプロファイルデータ７３に登録する。センタＤＢ２６には、構内ネットワーク２における構内サーバ１０の識別子と、内線番号のプレフィックスの情報である構内ネットワークデータ７５が収容されている。
【００６２】
図１１は、構内ネットワークデータ７５の一例を示す図である。構内ネットワークデータ７５は、情報要素「構内ネットワークＩＤ」、「構内サーバＩＤ」及び「プレフィックス」を含む。情報要素「構内ネットワークＩＤ」は、対象の構内ネットワーク２の識別子を示す。情報要素「構内サーバＩＤ」は、対象の構内ネットワーク２に設けられた構内サーバ１０の識別子を示す。情報要素「プレフィックス」は、対象の構内ネットワーク２における内線番号のプレフィックスを示す。
【００６３】
例えば図１１の第１行目のデータは、識別子「１」の構内ネットワーク２に設けられる構内サーバ１０の識別子の値が「１０」であり、構内ネットワーク２の内線のプレフィックスは「７１１」であることを示す。図１１の第２行目のデータは、識別子「２」の構内ネットワーク２に設けられる構内サーバ１０の識別子の値が「１１」であり、構内ネットワーク２の内線のプレフィックスは「７１２」であることを示す。
【００６４】
内線情報登録部７１は、プロファイル変更要求で通知される内線番号のプレフィックスに応じて、移動電話２１に内線番号が登録される構内ネットワーク２及び構内ネットワーク２内の構内サーバ１０の識別子を構内ネットワークデータ７５から取得する。
【００６５】
プロファイル変更要求が移動電話２１への内線番号の登録の解除処理に伴う要求である場合、内線情報登録部７１には、移動電話２１を特定するための情報がプロファイル変更要求で通知される。内線情報登録部７１は、移動電話２１についてプロファイルデータ７３に登録された内線番号、プレフィックス、構内ネットワーク２及び構内ネットワーク２内の構内サーバ１０の識別子を消去し、情報要素「状態」の値を「無効」に設定する。
【００６６】
内線移動電話２１が初期端末として登録された内線番号に対して端末を登録する登録処理が行われると、内線情報登録部７１には、内線移動電話２１を特定するための情報がプロファイル変更要求で通知される。内線情報登録部７１は、内線移動電話２１についてプロファイルデータ７３に登録された情報要素「状態」の値を「無効」に設定し、内線移動電話２１のプロファイル情報を無効化する。
【００６７】
内線移動電話２１が初期端末として登録された内線番号に対して端末を登録した後に、この登録の解除処理が行われると、内線情報登録部７１には、内線移動電話２１を特定するための情報がプロファイル変更要求で通知される。内線情報登録部７１は、内線移動電話２１についてプロファイルデータ７３に登録された情報要素「状態」の値を「有効」に設定し、内線移動電話２１のプロファイル情報を有効化する。
【００６８】
登録端末として登録された移動電話２１宛の内線通話の発信を受信した場合、番号情報指定部７２は、INVITEメッセージのヘッダに設定された発信側の内線番号を取得する。番号情報指定部７２は、取得した内線番号を、ナンバーディスプレイ用の発信側番号として着信側の端末に通知する。
【００６９】
なお、図４及び図８の機能構成図は、本明細書において説明される構内サーバ１０及びセンタサーバ２０の機能に関係する構成を中心に示している。構内サーバ１０及びセンタサーバ２０は、図示の構成要素以外の他の構成要素を含んでいてよい。
【００７０】
＜４．切替動作の例＞
続いて、内線番号に登録される端末の切り替え動作の例を説明する。本説明において使用される内線番号及び移動電話番号の設定例を以下に示す。
内線端末１１ａ：内線番号711-1111
内線端末１１ｂ：内線番号711-2222
内線端末１１ｃ：内線番号711-4444
移動電話２１ａ：移動電話番号090-1234-1111
移動電話２１ｂ：移動電話番号080-3456-2222
内線移動電話２１ｃ：移動電話番号090-1234-3333
内線番号711-3333
なお、内線移動電話とは、初期端末として内線番号が付与されている移動電話を示す。
【００７１】
＜４．１．内線番号が登録される端末を内線端末から移動電話に切り替える場合＞
第１の切替動作の例は、内線番号711-1111に登録される端末を内線端末１１ａから移動電話２１ａに切り替える場合を想定する。図１２は、内線番号の登録時の信号シーケンスの第１例を示す。なお、図１２を参照して説明する一連の動作は複数の手順を含む方法と解釈してよい。この場合に「オペレーション」を「ステップ」と読み替えてもよい。図１４〜図１６、図１８、図２０、図２２、図２４〜図２６及び図２８〜図３８に示す動作も同様である。
【００７２】
オペレーションＡＡにおいて移動電話２１ａにて登録番号がダイヤルされる。オペレーションＡＢにおいてセンタサーバ２０の呼制御部７０は、登録番号宛の呼を接続するINVITEメッセージを構内サーバ１０へ送信する。オペレーションＡＣにおいて構内サーバ１０の呼制御部６０は、呼び出し中を示す180 Ringingメッセージをセンタサーバ２０に返信する。登録要求受信部６１が発信を受け付けると、オペレーションＡＤにおいて呼制御部６０はINVITEメッセージに対する応答メッセージである200 OKメッセージをセンタサーバ２０に返信する。この結果、移動電話２１ａと構内サーバ１０間の呼が確立し、音声通話が可能になる。
【００７３】
オペレーションＡＥにおいてメッセージ生成部６５は、認証部６２による移動電話２１ａの認証処理のため、移動電話２１ａに登録する内線番号の入力を促す受付メッセージを移動電話２１ａに送信する。オペレーションＡＦにおいて移動電話２１ａは、DTMFで内線番号「711-1111」を入力する。オペレーションＡＧにおいてメッセージ生成部６５は、パスワードの入力を促すパスワード要求メッセージを移動電話２１ａに送信する。オペレーションＡＨにおいて移動電話２１ａは、DTMFでパスワード「1111」を入力する。
【００７４】
認証部６２は、利用許可データ６９を参照して、移動電話２１ａに内線番号「711-1111」への登録が許可されているか否かを判断する。図１３の（Ａ）は利用許可データの例を示す。図示の通り、移動電話番号「090-1234-1111」の移動電話２１ａは、内線番号「711-1111」の登録可能端末として利用許可データ６９に指定されている。次に認証部６２は、入力されたパスワードが、内線登録のために指定されたパスワード「1111」と一致するか否かを判断する。図１３の（Ａ）に示す通り入力されたパスワード「1111」は、利用許可データ６９で指定されたパスワードに一致する。この結果、認証部６２は移動電話２１ａの登録を許可する。
【００７５】
オペレーションＡＩにおいて内線情報登録要求部６４は、移動電話２１ａの登録に伴うプロファイル変更要求をセンタサーバ２０に送信する。プロファイル変更要求は内線番号「711-1111」を通知する。このとき、内線情報登録要求部６４は、オペレーションＡＢのINVITEメッセージのヘッダに含まれる呼識別子Call-IDをプロファイル変更要求の中に含めてよい。センタサーバ２０の内線情報登録部７１は、呼識別子Call-IDから登録対象の移動電話２１ａの移動電話番号「090-1234-1111」を特定することができる。
【００７６】
センタサーバ２０の内線情報登録部７１は、移動電話２１ａのプロファイル情報をプロファイルデータ７３に登録する。図１３の（Ｂ）の上段は、プロファイル情報の登録前のプロファイルデータ７３の状態を示す。この状態では、移動電話２１ａのプロファイル情報の情報要素「状態」の値は「無効」であり、「内線番号」、「プレフィックス」、「構内ネットワークＩＤ」及び「構内サーバＩＤ」にはまだ値が設定されていない。
【００７７】
内線情報登録部７１は、プロファイル変更要求で通知された内線番号「711-1111」のプレフィックス「711」に基づいて、構内ネットワークデータ７５から、構内ネットワーク２の識別子「1」と構内ネットワーク２内の構内サーバ１０の識別子「10」を取得する。内線情報登録部７１は、移動電話２１ａに関するプロファイルデータ７３の情報要素「内線番号」、「状態」、「プレフィックス」、「構内ネットワークＩＤ」及び「構内サーバＩＤ」に、それぞれ「711-1111」、「有効」、「711」、「1」及び「10」を登録する。図１３の（Ｂ）の下段は、プロファイル情報の登録後のプロファイルデータ７３の状態を示す。
【００７８】
プロファイル情報の登録が完了すると、オペレーションＡＪにおいて内線情報登録部７１は、登録の正否を示す登録結果を内線情報登録要求部６４に通知する。登録結果が受信されると端末情報登録部６３は、移動電話２１ａを内線利用データ６８へ登録する。図１３の（Ｃ）の上段は、情報登録前の内線利用データ６８の状態を示す。この状態では、内線番号「711-1111」に関する内線利用データ６８の情報要素「登録端末」には、初期端末である内線端末１１ａの内線番号「711-1111」が設定されている。
【００７９】
端末情報登録部６３は、移動電話２１ａの移動電話番号「090-1234-1111」と、移動電話２１ａについて利用許可データ６９で指定された解除期間「2時間」を、内線利用データ６８の情報要素「登録端末」及び「解除期間」に登録する。また、端末情報登録部６３は、現在の時刻を、情報要素「登録時刻」に登録する。図１３の（Ｃ）の下段は、情報登録後の内線利用データ６８の状態を示す。
【００８０】
その後、オペレーションＡＫにおいてメッセージ生成部６５は、移動電話２１ａの登録完了を知らせる登録完了メッセージを移動電話２１ａに送信する。オペレーションＡＬにおいて構内サーバ１０の呼制御部６０は、通話終了を要求するBYEメッセージをセンタサーバ２０へ送信する。オペレーションＡＭにおいてセンタサーバ２０の呼制御部６０は、BYEメッセージに対して200 OKメッセージを構内サーバ１０に送信する。オペレーションＡＮにおいて呼制御部６０は、移動電話２１ａを切断する。以上の動作によって、内線番号「711-1111」への移動電話２１ａの登録が完了し、移動電話２１ａで内線通話を発着信することが可能になる。
【００８１】
＜４．２．移動電話２１ａによる内線通話の発着信＞
続いて、登録済みの移動電話２１ａで内線通話を発着信する場合の動作について説明する。図１４は、図１２で登録された移動電話２１ａへの着信動作の説明図である。
【００８２】
オペレーションＢＡでは、内線番号「711-2222」の内線端末１１ｂにおいて移動電話２１ａに登録された内線番号「711-1111」がダイヤルされる。オペレーションＢＢにおいて構内サーバ１０の制御部６０が着信側番号「711-1111」の呼び出しを受信する。呼制御部６０は図１３の（Ｃ）の下段の内線利用データ６８を参照して、内線番号「711-1111」に登録されている移動電話番号「090-1234-1111」の移動電話２１ａを特定する。オペレーションＢＣにおいて呼制御部６０は、着信側番号を「711-1111」から、内線利用データ６８に登録された移動電話番号「090-1234-1111」へ変換する。
【００８３】
オペレーションＢＤにおいて呼制御部６０は、センタサーバ２０へINVITEメッセージを送信する。INVITEメッセージで指定される着信側番号は「090-1234-1111」であり、発信側番号は「711-2222」である。呼制御部６０は、INVITEメッセージのヘッダに発信側の内線番号「711-2222」を設定する。センタサーバ２０の呼制御部７０は、INVITEメッセージを受信する。
【００８４】
呼制御部７０は、図１３の（Ｂ）の下段のプロファイルデータ７３を参照して移動電話２１ａが構内ネットワーク２の内線番号に登録されているか否かを判断する。移動電話２１ａが内線番号に登録されている場合に番号情報指定部７２は、INVITEメッセージのヘッダに設定された発信側の内線番号「711-2222」を取得する。
【００８５】
オペレーションＢＥにおいて呼制御部７０は、移動電話２１ａを呼び出す。この際に番号情報指定部７２は、INVITEメッセージから取得した内線番号「711-2222」を、ナンバーディスプレイ用の発信側番号として移動電話２１ａに通知する。オペレーションＢＦにおいて呼制御部７０は、構内サーバ１０へ180 Ringingメッセージを送信する。オペレーションＢＧにおいて移動電話２１ａでオフフック動作がされると、オペレーションＢＨにおいて呼制御部７０は200 OKメッセージを構内サーバ１０に送信する。この結果、内線端末１１ｂと移動電話２１ａとの間の通話が確立する。
【００８６】
次に、図１５を参照して、移動電話２１ａの発信動作について説明する。オペレーションＣＡでは、移動電話２１ａにおいて内線番号「711-2222」がダイヤルされる。オペレーションＣＢにおいてセンタサーバ２０の制御部７０が着信側番号「711-2222」の呼び出しを受信する。
【００８７】
オペレーションＣＣにおいて制御部７０は、図１３の（Ｂ）の下段のプロファイルデータ７３の情報要素「状態」を参照して、移動電話番号「090-1234-1111」の移動電話２１ａに対する内線番号の登録が有効であるか否かを判断する。登録が有効である場合、制御部７０は、プロファイルデータ７３に基づいて構内ネットワーク２の識別子「1」及び構内サーバ１０の識別子「10」を取得する。制御部７０は、これら識別子によって移動電話２１ａに内線番号「711-1111」が登録された構内ネットワーク２とその構内サーバ１０を特定する。
【００８８】
オペレーションＣＤにおいて呼制御部７０は、構内サーバ１０へINVITEメッセージを送信する。INVITEメッセージで指定される着信側番号は「711-2222」であり、発信側番号は「090-1234-1111」である。呼制御部７０は、INVITEメッセージのヘッダに発信側の内線番号「711-1111」を設定する。構内サーバ１０の呼制御部６０は、INVITEメッセージを受信する。
【００８９】
オペレーションＣＥにおいて呼制御部６０は、図１３の（Ｃ）の下段の内線利用データ６８を参照して、発信側の移動電話２１ａが内線番号に登録されているか否かを判断する。内線利用データ６８をにおいて移動電話２１ａが内線番号「711-1111」に登録されている。このため、番号情報指定部６７は、発信側番号を、内線利用データ６８にて移動電話２１に登録した内線番号「711-1111」に変換する。このとき、番号情報指定部６７は、INVITEメッセージのヘッダから発信側の内線番号「711-1111」を取得してもよい。番号情報指定部６７は、移動電話２１ａを登録した内線番号「711-1111」を内線利用データ６８から取得してもよい。
【００９０】
オペレーションＣＦにおいて呼制御部６０は、内線端末１１ｂを呼び出す。この際に番号情報指定部６７は、変換後の内線番号「711-1111」をナンバーディスプレイ用の発信側番号として内線端末１１ｂに通知する。オペレーションＣＧにおいて呼制御部６０は、センタサーバ２０へ180 Ringingメッセージを送信する。オペレーションＣＧにおいて内線端末１１ｂでオフフック動作がされると、オペレーションＣＩにおいて呼制御部６０は200 OKメッセージをセンタサーバ２０に送信する。この結果、内線端末１１ｂと移動電話２１ａとの間の通話が確立する。
【００９１】
＜４．３．内線端末から移動電話への切り替えを解除する場合＞
続いて、移動電話２１ａに登録された内線登録を解除する動作について説明する。図１６は、内線番号の解除時の信号シーケンスの第１例を示す図である。
【００９２】
オペレーションＤＡにおいて移動電話２１ａにて解除番号がダイヤルされる。オペレーションＤＢにおいてセンタサーバ２０の呼制御部７０は、登録番号宛の呼を接続するINVITEメッセージを構内サーバ１０へ送信する。オペレーションＤＣにおいて構内サーバ１０の呼制御部６０は、180 Ringingメッセージをセンタサーバ２０に返信する。オペレーションＤＤにおいて登録要求受信部６１が発信を受け付けると、オペレーションＡＤにおいて呼制御部６０は200 OKメッセージをセンタサーバ２０に返信する。この結果、移動電話２１ａと構内サーバ１０間の呼が確立する。
【００９３】
オペレーションＤＥにおいて内線情報登録要求部６４は、移動電話２１ａへの内線番号の登録解除に伴うプロファイル変更要求をセンタサーバ２０に送信する。プロファイル変更要求は、内線番号の登録解除の対象である移動電話２１ａを特定するため情報を通知する。
【００９４】
センタサーバ２０の内線情報登録部７１は、プロファイルデータ７３に登録された移動電話２１ａのプロファイル情報の登録を解除する。図１７の（Ａ）の上段は、プロファイル情報の解除前のプロファイルデータ７３の状態を示す。図１７の（Ａ）の上段のプロファイルデータ７３は、図１３の（Ｂ）の下段のプロファイルデータ７３と同様である。内線情報登録部７１は、移動電話２１ａのプロファイル情報の情報要素「内線番号」、「プレフィックス」、「構内ネットワークＩＤ」及び「構内サーバＩＤ」の内容を削除する。また、内線情報登録部７１は、移動電話２１ａのプロファイル情報の情報要素「状態」の値を「無効」に設定する。図１７の（Ａ）の下段は、プロファイル情報の解除後のプロファイルデータ７３の状態を示す。
【００９５】
プロファイル情報の解除が完了すると、オペレーションＤＦにおいて内線情報登録部７１は、解除の正否を示す解除結果を内線情報登録要求部６４に通知する。解除結果が受信されると端末情報登録部６３は、内線利用データ６８への移動電話２１ａの登録を解除する。図１７の（Ｂ）の上段は、登録解除前の内線利用データ６８の状態を示す。図１７の（Ｂ）の上段の内線利用データ６８は、図１３の（Ｃ）の下段の内線利用データ６８と同様である。
【００９６】
端末情報登録部６３は、内線番号「711-1111」に関する内線利用データ６８の情報要素「登録端末」に登録される端末の番号を、初期端末の内線番号「711-1111」に戻す。端末情報登録部６３は、情報要素「解除期間」及び「登録時刻」の値を削除する。図１７の（Ｂ）の下段は、登録解除後の内線利用データ６８の状態を示す。
【００９７】
オペレーションＤＧにおいてメッセージ生成部６５は、移動電話２１ａの解除完了を知らせる解除完了メッセージを移動電話２１ａに送信する。オペレーションＤＨにおいて構内サーバ１０の呼制御部６０は、BYEメッセージをセンタサーバ２０へ送信する。オペレーションＤＩにおいてセンタサーバ２０の呼制御部６０は、BYEメッセージに対して200 OKメッセージを構内サーバ１０に送信する。オペレーションＤＪにおいて呼制御部６０は、移動電話２１ａを切断する。以上の動作によって、内線番号「711-1111」への移動電話２１ａの登録が解除される。
【００９８】
＜４．４．内線番号が登録される端末を内線移動電話から移動電話に切り替える場合＞
続いて、第２の切替動作の例を説明する。第２の切替動作の例は、内線番号711-3333に登録される端末を、内線移動電話２１ｃから移動電話２１ｂに切り替える場合を想定する。図１８は、内線番号の登録時の信号シーケンスの第２例を示す図である。
【００９９】
オペレーションＥＡにおいて移動電話２１ａにて登録番号がダイヤルされる。オペレーションＥＢ〜ＥＤの動作は、図１２のオペレーションＡＢ〜ＥＤと同様である。これら動作の結果、移動電話２１ｂと構内サーバ１０間の呼が確立し、音声通話が可能になる。
【０１００】
オペレーションＥＥにおいてメッセージ生成部６５は、移動電話２１ｂに登録する内線番号の入力を促す受付メッセージを移動電話２１ａに送信する。オペレーションＥＦにおいて移動電話２１ｂは、DTMFで内線番号「711-3333」を入力する。オペレーションＥＧにおいてメッセージ生成部６５は、パスワード要求メッセージを移動電話２１ｂに送信する。オペレーションＥＨにおいて移動電話２１ｂは、DTMFでパスワード「2222」を入力する。
【０１０１】
認証部６２は、利用許可データ６９を参照して、移動電話２１ｂに内線番号「711-3333」への登録が許可されているか否かを判断する。図１９の（Ａ）は利用許可データの例を示す。図示の通り、移動電話番号「080-3456-2222」の移動電話２１ｂは、内線番号「711-3333」の登録可能端末として利用許可データ６９に指定されている。次に認証部６２は、入力されたパスワードが、内線登録のために指定されたパスワード「2222」と一致するか否かを判断する。図１９の（Ａ）に示す通り入力されたパスワード「2222」は、利用許可データ６９で指定されたパスワードに一致する。この結果、認証部６２は移動電話２１ｂの登録を許可する。
【０１０２】
オペレーションＥＩにおいて内線情報登録要求部６４は、移動電話２１ｂへ内線番号「711-3333」の登録に伴うプロファイル変更要求をセンタサーバ２０に送信する。プロファイル変更要求は、内線番号「711-3333」を通知する。センタサーバ２０の内線情報登録部７１は、移動電話２１ｂのプロファイル情報をプロファイルデータ７３に登録する。
【０１０３】
図１９の（Ｂ）の上段は、プロファイル情報の登録前のプロファイルデータ７３の状態を示す。この状態では、まだ移動電話番号「090-1234-3333」の内線移動電話２１ｃが内線番号「711-3333」に登録されており、移動電話２１ｂは登録されていない。このため、内線移動電話２１ｃのプロファイル情報の情報要素「内線番号」、「プレフィックス」、「構内ネットワークＩＤ」及び「構内サーバＩＤ」には、内線番号「711-3333」に関する値「711-3333」、「711」、「1」及び「10」が設定されている。また、内線移動電話２１ｃのプロファイル情報の情報要素「状態」の値は「有効」である。一方で、移動電話２１ｂのプロファイル情報の情報要素「状態」の値は「無効」であり、その他の情報要素には値が設定されていない。
【０１０４】
内線情報登録部７１は、プロファイル変更要求で通知された内線番号「711-3333」のプレフィックス「711」に基づいて、構内ネットワークデータ７５から、構内ネットワーク２の識別子「1」と構内ネットワーク２内の構内サーバ１０の識別子「10」を取得する。内線情報登録部７１は、移動電話２１ｂに関するプロファイルデータ７３の情報要素「内線番号」、「状態」、「プレフィックス」、「構内ネットワークＩＤ」及び「構内サーバＩＤ」に、それぞれ「711-1111」、「有効」、「711」、「1」及び「10」を登録する。一方で、内線情報登録部７１は、移動電話２１ｃに関するプロファイルデータ７３の情報要素「状態」の値を「無効」に設定する。図１９の（Ｂ）の下段は、プロファイル情報の登録後のプロファイルデータ７３の状態を示す。
【０１０５】
プロファイル情報の登録が完了すると、オペレーションＥＪにおいて内線情報登録部７１は、登録の正否を示す登録結果を内線情報登録要求部６４に通知する。登録結果が受信されると端末情報登録部６３は、移動電話２１ｂを内線利用データ６８へ登録する。図１９の（Ｃ）の上段は、情報登録前の内線利用データ６８の状態を示す。この状態では、内線番号「711-3333」に関する内線利用データ６８の情報要素「登録端末」には、初期端末である移動電話２１ｃの移動電話番号「090-1234-3333」が設定されている。
【０１０６】
端末情報登録部６３は、移動電話２１ｂの移動電話番号「080-3456-2222」と、移動電話２１ｂについて利用許可データ６９で指定された解除期間「1時間」を、内線利用データ６８の情報要素「登録端末」及び「解除期間」に登録する。また、端末情報登録部６３は、現在の時刻を、内線利用データ６８の情報要素「登録時刻」に登録する。図１９の（Ｃ）の下段は、情報登録後の内線利用データ６８の状態を示す。
【０１０７】
その後のオペレーションＥＫ〜ＥＮの動作は、図１２のオペレーションＡＫ〜ＡＮと同様である。以上の動作によって、内線番号「711-3333」への移動電話２１ｂの登録が完了し、移動電話２１ｂで内線通話を発着信することが可能になる。
【０１０８】
＜４．５．内線移動電話から移動電話への切替を解除する場合＞
続いて、上記「４．４．内線番号が登録される端末を内線移動電話から移動電話に切り替える場合」により移動電話２１ｂに登録された内線登録を解除する動作について説明する。図２０は、内線番号の解除時の信号シーケンスの第２例を示す図である。
【０１０９】
オペレーションＦＡにおいて移動電話２１ｂにて解除番号がダイヤルされる。オペレーションＦＢ〜ＦＤの動作は、図１６のオペレーションＤＢ〜ＤＤと同様である。これら動作の結果、移動電話２１ｂと構内サーバ１０間の呼が確立し、音声通話が可能になる。
【０１１０】
オペレーションＦＥにおいて内線情報登録要求部６４は、移動電話２１ｂへの内線番号の登録解除に伴うプロファイル変更要求をセンタサーバ２０に送信する。プロファイル変更要求は、移動電話２１ｂを特定するため情報をセンタサーバ２０に通知する。センタサーバ２０の内線情報登録部７１は、プロファイルデータ７３に登録された移動電話２１ｂのプロファイル情報の登録を解除する。なた、内線情報登録部７１は、プロファイルデータ７３に登録された初期端末である内線移動電話２１ｃのプロファイル情報の登録を有効化する。
【０１１１】
図２１の（Ａ）の上段は、プロファイル情報の解除前のプロファイルデータ７３の状態を示す。図２１の（Ａ）の上段のプロファイルデータ７３は、図１９の（Ｂ）の下段のプロファイルデータ７３と同様である。内線情報登録部７１は、移動電話２１ｂのプロファイル情報の情報要素「内線番号」、「プレフィックス」、「構内ネットワークＩＤ」及び「構内サーバＩＤ」の内容を削除する。また、内線情報登録部７１は、移動電話２１ｂのプロファイル情報の情報要素「状態」の値を「無効」に設定し、移動電話２１ｃのプロファイル情報の情報要素「状態」の値を「有効」に設定する。図２１の（Ａ）の下段は、プロファイル情報の解除後のプロファイルデータ７３の状態を示す。
【０１１２】
プロファイル情報の解除が完了すると、オペレーションＦＦにおいて内線情報登録部７１は、解除の正否を示す解除結果を内線情報登録要求部６４に通知する。解除結果が受信されると端末情報登録部６３は、内線利用データ６８への移動電話２１ｂの登録を解除する。図２１の（Ｂ）の上段は、登録解除前の内線利用データ６８の状態を示す。図２１の（Ｂ）の上段の内線利用データ６８は、図１９の（Ｃ）の下段の内線利用データ６８と同様である。
【０１１３】
端末情報登録部６３は、内線番号「711-3333」に関する内線利用データ６８の情報要素「登録端末」に登録される端末の番号を、初期端末である移動内線電話２１ｃの移動電話番号「090-1234-3333」に戻す。端末情報登録部６３は、情報要素「解除期間」及び「登録時刻」の値を削除する。図２１の（Ｂ）の下段は、登録解除後の内線利用データ６８の状態を示す。オペレーションＦＧにおいてメッセージ生成部６５は、解除完了メッセージを移動電話２１ｂに送信する。オペレーションＦＨ〜ＦＪの動作は、図１６のオペレーションＤＨ〜ＤＪと同様である。以上の動作によって、内線番号「711-3333」への移動電話２１ｂの登録が解除される。
【０１１４】
＜４．６．内線番号の着信先を内線移動電話から内線端末に切り替える場合＞
続いて、第３の切替動作の例を説明する。第３の切替動作の例は、内線番号「711-3333」に登録される端末を、内線移動電話２１ｃから、元々別の内線番号「711-4444」が与えられている内線端末１１ｃへ切り替える場合を想定する。図２２は、内線番号の登録時の信号シーケンスの第３例を示す。
【０１１５】
オペレーションＧＡにおいて内線端末１１ｃにて登録番号がダイヤルされる。構内サーバ１０の登録要求受信部６１が発信を受け付けると、オペレーションＧＢにおいてメッセージ生成部６５は、内線端末１１ｃに登録する内線番号の入力を促す受付メッセージを内線端末１１ｃに送信する。オペレーションＧＣにおいて内線端末１１ｃは、DTMFで内線番号「711-3333」を入力する。オペレーションＧＤにおいてメッセージ生成部６５は、パスワード要求メッセージを内線端末１１ｃに送信する。オペレーションＧＥにおいて移動電話２１ａは、DTMFでパスワード「4444」を入力する。
【０１１６】
認証部６２は、利用許可データ６９を参照して、移動電話２１ａに内線番号「711-1111」への登録が許可されているか否かを判断する。図２３の（Ａ）は利用許可データの例を示す。図示の通り、内線番号「711-4444」の内線端末１１ｃは、内線番号「711-3333」の登録可能端末として利用許可データ６９に指定されている。次に認証部６２は、入力されたパスワードが、内線登録のために指定されたパスワード「4444」と一致するか否かを判断する。図２３の（Ａ）に示す通り入力されたパスワード「4444」は、利用許可データ６９で指定されたパスワードに一致する。この結果、認証部６２は内線端末１１ｃの登録を許可する。
【０１１７】
オペレーションＧＦにおいて内線情報登録要求部６４は、内線端末１１ｃの登録に伴うプロファイル変更要求をセンタサーバ２０に送信する。プロファイル変更要求は、内線端末１１ｃの登録に伴い登録が無効化される内線移動電話２１ｃを特定するため情報をセンタサーバ２０に通知する。
【０１１８】
センタサーバ２０の内線情報登録部７１は、内線移動電話２１ｃのプロファイル情報を無効化する。図２３の（Ｂ）の上段は、無効化前のプロファイル情報の状態を示す。この状態では、内線移動電話２１ｃのプロファイル情報の情報要素「状態」の値は「有効」であり、内線移動電話２１ｃに対する内線番号「711-3333」の登録が有効であることを示す。内線情報登録部７１は、内線移動電話２１ｃのプロファイル情報の情報要素「状態」の値は「無効」にする。図２３の（Ｂ）の下段は、無効化されたプロファイル情報の状態を示す。
【０１１９】
オペレーションＧＧにおいて内線情報登録部７１は登録結果を内線情報登録要求部６４に通知する。端末情報登録部６３は、内線端末１１ｃを内線利用データ６８へ登録する。図２３の（Ｃ）の上段は、情報登録前の内線利用データ６８の状態を示す。この状態では、内線番号「711-3333」に関する内線利用データ６８の情報要素「登録端末」には、初期端末である内線移動電話２１ｃの移動電話番号「090-1234-3333」が設定されている。
【０１２０】
端末情報登録部６３は、内線端末１１ｃの内線番号「711-4444」と、内線端末１１ｃについて利用許可データ６９で指定された解除期間「3時間」を、内線利用データ６８の情報要素「登録端末」及び「解除期間」に登録する。また、端末情報登録部６３は、現在の時刻を、情報要素「登録時刻」に登録する。図２３の（Ｃ）の下段は、情報登録後の内線利用データ６８の状態を示す。
【０１２１】
オペレーションＧＨにおいてメッセージ生成部６５は、登録完了メッセージを内線端末１１ｃに送信する。オペレーションＧＩにおいて呼制御部６０は、内線端末１１ｃとの呼を切断する。以上の動作によって、内線番号「711-4444」への移動電話２１ａの登録が完了し、移動電話１１ｃで内線番号「711-4444」を使用することが可能になる。
【０１２２】
＜４．７．内線端末１１ｃによる内線通話の発着信＞
続いて、上記「４．６．内線番号の着信先を内線移動電話から内線端末に切り替える場合」にて登録された内線端末１１ｃで内線通話を発着信する場合の動作について説明する。図２４は、図２２で登録された内線端末１１ｃへの着信動作の説明図である。
【０１２３】
オペレーションＨＡでは、内線番号「711-2222」の内線端末１１ｂにおいて内線端末１１ｃに登録された内線番号「711-3333」がダイヤルされる。オペレーションＨＢにおいて構内サーバ１０の制御部６０が着信側番号「711-3333」の呼び出しを受信する。呼制御部６０は図２３の（Ｃ）の下段の内線利用データ６８を参照して、内線番号「711-3333」に登録されている、元々別の内線番号「711-4444」の内線端末１１ｃを特定する。オペレーションＨＣにおいて制御部６０は、内線利用データ６８に登録された内線番号「711-4444」へ着信側番号を変換する。
【０１２４】
オペレーションＨＤにおいて制御部６０は、内線番号「711-4444」を用いて内線端末１１ｃを呼び出す。オペレーションＨＥにおいて内線端末１１ｃでオフフック動作が行われると、内線端末１１ｂと内線端末１１ｃとの間の通話が確立する。
【０１２５】
次に、図２５を参照して、内線端末１１ｃの発信動作について説明する。オペレーションＩＡでは、内線端末１１ｃにおいて内線番号「711-2222」がダイヤルされる。オペレーションＩＢにおいて構内サーバ１０の制御部６０が着信側番号「711-2222」の呼び出しを受信する。
【０１２６】
オペレーションＩＣにおいて番号情報指定部６７は、発信側番号を、内線利用データ６８にて内線端末１１ｃに登録した内線番号「711-3333」に変換する。オペレーションＩＤにおいて呼制御部６０は、内線端末１１ｂを呼び出す。この際に番号情報指定部６７は、変換後の内線番号「711-3333」をナンバーディスプレイ用の発信側番号として内線端末１１ｂに通知する。オペレーションＩＥにおいて内線端末１１ｂでオフフック動作がされると、内線端末１１ｂと内線端末１１ｃとの間の通話が確立する。
【０１２７】
＜４．８．内線移動電話から内線端末への切替を解除する場合＞
続いて、上記「４．６．内線番号の着信先を内線移動電話から内線端末に切り替える場合」により内線端末１１ｃに登録された内線登録を解除する動作について説明する。図２６は、内線番号の解除時の信号シーケンスの第３例を示す図である。
【０１２８】
オペレーションＪＡにおいて内線端末１１ｃにて解除番号がダイヤルされる。オペレーションＪＢにおいて構内サーバ１０の内線情報登録要求部６４は、内線端末１１ｃへの登録の解除に伴うプロファイル変更要求をセンタサーバ２０に送信する。プロファイル変更要求は、内線端末１１ｃへの登録の解除に伴って登録が有効化される内線移動電話２１ｃを特定するための情報をセンタサーバ２０に通知する。
【０１２９】
センタサーバ２０の内線情報登録部７１は、内線移動電話２１ｃのプロファイル情報を有効化する。図２７の（Ａ）の上段は、有効化前のプロファイル情報の状態を示す。この状態では、内線移動電話２１ｃのプロファイル情報の情報要素「状態」の値は「無効」であり、内線移動電話２１ｃに対する内線番号「711-3333」の登録が無効であることを示す。内線情報登録部７１は、内線移動電話２１ｃのプロファイル情報の情報要素「状態」の値は「有効」にする。図２７の（Ａ）の下段は、有効化されたプロファイル情報の状態を示す。
【０１３０】
オペレーションＪＣにおいて内線情報登録部７１は解除結果を内線情報登録要求部６４に通知する。内線利用データ６８への内線端末１１ｃの登録を解除する。図２７の（Ｂ）の上段は、登録解除前の内線利用データ６８の状態を示す。図２７の（Ｂ）の上段の内線利用データ６８は、図２３の（Ｃ）の下段の内線利用データ６８と同様である。
【０１３１】
端末情報登録部６３は、内線番号「711-3333」に関する内線利用データ６８の情報要素「登録端末」に登録される端末の番号を、初期端末の移動電話番号「090-1234-3333」に戻す。端末情報登録部６３は、情報要素「解除期間」及び「登録時刻」の値を削除する。図２７の（Ｂ）の下段は、登録解除後の内線利用データ６８の状態を示す。
【０１３２】
オペレーションＪＤにおいてメッセージ生成部６５は、解除完了メッセージを内線端末１１ｃに送信する。オペレーションＪＥにおいて呼制御部６０は、移動電話１１ｃを切断する。以上の動作によって、内線番号「711-3333」への移動電話２１ａの登録が解除される。
【０１３３】
＜５．サーバの動作＞
＜５．１．センタサーバの動作＞
続いて、センタサーバ２０及び構内サーバ１０の各々の動作について説明する。初めにセンタサーバ２０の動作について説明する。
【０１３４】
＜５．１．１．切替時の動作＞
図２８は、内線番号に登録される端末を移動電話２１に切り替える際のセンタサーバ２０の動作の説明図である。オペレーションＫＡにおいて呼制御部７０は、内線番号へ登録される移動電話２１からの発信を受け付ける。
【０１３５】
オペレーションＫＢにおいて呼制御部７０は、移動電話２１から受け付けた発信の着信側番号が登録番号又は解除番号であるか否かを判断する。信側番号が登録番号又は解除番号である場合（オペレーションＫＢ：Ｙ）に処理はオペレーションＫＣへ進む。信側番号が登録番号及び解除番号のいずれでもない場合（オペレーションＫＢ：Ｎ）にセンタサーバ２０は従来の処理を実行する。
【０１３６】
オペレーションＫＣにおいて呼制御部７０は、移動電話２１と構内サーバ１０との呼を接続するINVITEメッセージを構内サーバ１０へ送信する。オペレーションＫＤにおいて呼制御部７０は、INVITEメッセージの応答メッセージである180 Ringingメッセージ及び200 OKメッセージの待ち受け処理を行う。200 OKメッセージを受信した場合に呼制御部７０は動作を終了する。
【０１３７】
続いて、図２９を参照して、構内サーバ１０からプロファイル変更要求を受信した場合のセンタサーバ２０の動作の説明図である。オペレーションＬＡにおいて内線情報登録部７１は、プロファイル変更要求を構内サーバ１０から受信する。オペレーションＬＢにおいて内線情報登録部７１は、受信したプロファイル変更要求が、内線番号への端末の登録処理に伴う要求であるか、解除処理に伴う要求であるかを判断する。プロファイル変更要求が登録処理に伴う要求である場合（オペレーションＬＢ：Ｙ）に処理はオペレーションＬＣへ進む。プロファイル変更要求が解除処理に伴う要求である場合（オペレーションＬＢ：Ｎ）に処理はオペレーションＬＪへ進む。
【０１３８】
オペレーションＬＣにおいて内線情報登録部７１は、登録対象が移動電話２１であるか否かを判断する。登録対象が移動電話２１である場合（オペレーションＬＣ：Ｙ）に処理はオペレーションＬＤへ進む。登録対象が移動電話２１でない場合（オペレーションＬＣ：Ｎ）に処理はオペレーションＬＧへ進む。オペレーションＬＤにおいて内線情報登録部７１は、プロファイル変更要求で通知される登録対象の内線番号を取得する。オペレーションＬＥにおいて内線情報登録部７１は、登録対象の移動電話２１の移動電話番号を特定する。オペレーションＬＦにおいて内線情報登録部７１は、登録対象の移動電話２１のプロファイル情報をプロファイルデータ７３に登録する。その後に処理はオペレーションＬＧへ進む。
【０１３９】
オペレーションＬＧにおいて内線情報登録部７１は、登録対象の内線番号の初期端末が内線携帯端末であるか否かを判断する。初期端末が内線携帯端末である場合（オペレーションＬＧ：Ｙ）に処理はオペレーションＬＨへ進む。初期端末が内線携帯端末でない場合（オペレーションＬＧ：Ｎ）に処理はオペレーションＬＩへ進む。オペレーションＬＨにおいて内線情報登録部７１は、内線携帯端末のプロファイル情報を無効化する。その後に処理はオペレーションＬＩへ進む。オペレーションＬＩにおいて内線情報登録部７１は登録結果を内線情報登録要求部６４に通知する。その後に処理は終了する。
【０１４０】
オペレーションＬＪにおいて解除対象が移動電話２１であるか否かを判断する。解除対象が移動電話２１である場合（オペレーションＬＪ：Ｙ）に処理はオペレーションＬＫへ進む。解除対象が移動電話２１でない場合（オペレーションＬＪ：Ｎ）に処理はオペレーションＬＭへ進む。オペレーションＬＫにおいて内線情報登録部７１は、解除対象の移動電話２１の移動電話番号を特定する。オペレーションＬＬにおいて内線情報登録部７１は、解除対象の移動電話２１のプロファイル情報を削除する。その後に処理はオペレーションＬＭへ進む。
【０１４１】
オペレーションＬＭにおいて内線情報登録部７１は、解除対象の内線番号の初期端末が内線携帯端末であるか否かを判断する。初期端末が内線携帯端末である場合（オペレーションＬＭ：Ｙ）に処理はオペレーションＬＮへ進む。初期端末が内線携帯端末でない場合（オペレーションＬＭ：Ｙ）に処理はオペレーションＬＯへ進む。オペレーションＬＮにおいて内線情報登録部７１は、内線携帯端末のプロファイル情報を有効化する。その後に処理はオペレーションＬＯへ進む。オペレーションＬＯにおいて内線情報登録部７１は解除結果を内線情報登録要求部６４に通知する。その後に処理は終了する。
【０１４２】
＜５．１．２．通話時の動作＞
続いて、図３０を参照して移動電話２１が着信側である場合の通話時のセンタサーバ２０の動作を説明する。オペレーションＭＡにおいて呼制御部７０は、構内サーバ１０からのINVITEメッセージを受信する。オペレーションＭＢにおいて呼制御部７０は、INVITEメッセージで指定された着信側番号が加入者の電話番号であるか否かを判断する。着信側番号が加入者の電話である場合（オペレーションＭＢ：Ｙ）に処理はオペレーションＭＣへ進む。オペレーションＭＣにおいて呼制御部７０は、着信側番号で指定される移動電話２１への内線番号の登録が有効であるか否かを判断する。登録が有効である場合（オペレーションＭＣ：Ｙ）に処理はオペレーションＭＤへ進む。登録が無効である場合（オペレーションＭＣ：Ｎ）に処理はオペレーションＭＥへ進む。
【０１４３】
オペレーションＭＤにおいて番号情報指定部７２は、INVITEメッセージのヘッダに設定された発信側の内線番号を取得する。その後に処理はオペレーションＭＥへ進む。オペレーションＭＥにおいて呼制御部７０は、移動電話２１を呼び出す。この際に番号情報指定部７２は、INVITEメッセージから取得した内線番号を、ナンバーディスプレイ用の発信側番号として移動電話２１に通知する。その後に処理は終了する。
【０１４４】
オペレーションＭＦにおいて呼制御部７０は、着信側の端末が見つからないことを示す404メッセージを構内サーバ１０へ送信する。その後に処理は終了する。
【０１４５】
次に、図３１を参照して移動電話２１が発信側である場合の通話時のセンタサーバ２０の動作の説明図である。オペレーションＮＡにおいて呼制御部７０は、移動電話２１から発信されたダイヤル番号を受信する。
【０１４６】
オペレーションＮＢにおいて呼制御部７０は、発信されたダイヤル番号が内線番号であるか否かを判断する。ダイヤル番号が内線番号である場合（オペレーションＮＢ：Ｙ）に処理はオペレーションＮＣへ進む。ダイヤル番号が内線番号でない場合（オペレーションＮＢ：Ｎ）に、センタサーバ２０は従来の処理を実行する。オペレーションＮＣにおいて呼制御部７０は、発信側の移動電話２１への内線番号の登録が有効であるか否かを判断する。登録が有効である場合（オペレーションＮＣ：Ｙ）に処理はオペレーションＮＤへ進む。登録が無効である場合（オペレーションＮＣ：Ｎ）に処理はオペレーションＮＨへ進む。
【０１４７】
オペレーションＮＤにおいて呼制御部７０は、プロファイルデータ７３に基づいて着信側の内線の構内ネットワーク２とその構内サーバ１０を特定する。オペレーションＮＥにおいて呼制御部７０は、INVITEメッセージのヘッダに発信側の内線番号「711-1111」を設定する。オペレーションＮＦにおいて呼制御部７０は、構内サーバ１０へINVITEメッセージを送信する。オペレーションＮＧにおいて呼制御部７０は、応答メッセージの待ち受け処理を行う。200 OKメッセージを受信した場合に呼制御部７０は動作を終了する。
【０１４８】
オペレーションＮＨにおいて呼制御部７０は、無効メッセージを移動電話２１に流し、着信側の内線番号が無効であることを移動電話２１のユーザに知らせる。その後に動作が終了する。
【０１４９】
＜５．２．構内サーバの動作＞
＜５．２．１．切替時の動作＞
次に、構内サーバ１０の動作について説明する。図３２は、内線番号に登録される端末を移動電話２１に切り替える際の構内サーバ１０の動作の説明図である。オペレーションＯＡにおいて呼制御部６０は、INVITEメッセージをセンタサーバ２０から受信する。オペレーションＯＢにおいて呼制御部６０は、180 Ringingメッセージをセンタサーバ２０に返信する。登録要求受信部６１が発信を受け付けると、オペレーションＯＣにおいて呼制御部６０は200 OKメッセージをセンタサーバ２０に返信する。
【０１５０】
オペレーションＯＤにおいて呼制御部６０は、発信者側の移動電話２１の番号通知がINVITEメッセージにあるか否かを判断する。移動電話２１の番号通知がINVITEメッセージにある場合（オペレーションＯＤ：Ｙ）に処理はオペレーションＯＥへ進む。移動電話２１の番号通知がINVITEメッセージにない場合（オペレーションＯＤ：Ｎ）に処理はオペレーションＯＩへ進む。
【０１５１】
オペレーションＯＥにおいて呼制御部６０は、INVITEメッセージの着信側番号が登録番号であるか否かを判断する。着信側番号が登録番号である場合（オペレーションＯＥ：Ｙ）に処理はオペレーションＯＦへ進む。着信側番号が登録番号でない場合（オペレーションＯＥ：Ｎ）に処理はオペレーションＯＧへ進む。オペレーションＯＦにおいて登録要求受信部６１は、送信側の移動電話２１への内線の登録処理を実行する。登録処理については図３３を参照して後述する。その後に処理はオペレーションＯＪへ進む。
【０１５２】
オペレーションＯＧにおいて呼制御部６０は、INVITEメッセージの着信側番号が解除番号であるか否かを判断する。着信側番号が解除番号である場合（オペレーションＯＧ：Ｙ）に処理はオペレーションＯＨへ進む。着信側番号が解除番号でない場合（オペレーションＯＧ：Ｎ）に構内サーバ１０は従来の処理を実行する。オペレーションＯＨにおいて登録要求受信部６１は、送信側の移動電話２１への内線登録の解除処理を実行する。解除処理については図３４を参照して後述する。その後に処理はオペレーションＯＪへ進む。
【０１５３】
オペレーションＯＩにおいてメッセージ生成部６５は、再接続要求メッセージを移動電話２１に流し、発信側の番号通知設定をオンにして再接続することを移動電話２１のユーザに促す。その後に処理はオペレーションＯＪへ進む。オペレーションＯＪにおいて呼制御部６０は、センタサーバ２０へBYEメッセージを送信する。オペレーションＯＫにおいて呼制御部６０は、センタサーバ２０から200 OKメッセージを送信する。その後に動作は終了する。
【０１５４】
ここで図３３を参照して、図３２の登録処理を説明する。オペレーションＰＡにおいてメッセージ生成部６５は、受付メッセージを登録対象の端末に送信する。オペレーションＰＢにおいて登録要求受信部６１は、登録対象の端末から、登録先の内線番号を受信する。オペレーションＰＣにおいて認証部６２は、受信した内線番号へ登録対象の端末の登録が許可されているか否かを判断する。登録が許可されている場合（オペレーションＰＣ：Ｙ）に処理はオペレーションＰＤへ進む。登録が許可されていない場合（オペレーションＰＣ：Ｎ）に処理はオペレーションＰＫへ進む。
【０１５５】
オペレーションＰＤにおいてメッセージ生成部６５は、パスワード要求メッセージを登録対象の端末に送信する。オペレーションＰＥにおいて登録要求受信部６１は、登録対象の端末から、パスワードを受信する。オペレーションＰＦにおいて認証部６２は、入力されたパスワードが、内線登録のために指定されたパスワードと一致するか否かを判断する。パスワードが一致する場合（オペレーションＰＦ：Ｙ）に処理はオペレーションＰＧへ進む。パスワードが一致しない場合（オペレーションＰＦ：Ｎ）に処理はオペレーションＰＬへ進む。
【０１５６】
オペレーションＰＧにおいて内線情報登録要求部６４は、端末の登録に伴うプロファイル変更要求をセンタサーバ２０に送信する。オペレーションＰＨにおいて内線情報登録要求部６４は、センタサーバ２０から登録結果を受信する。オペレーションＰＩにおいて端末情報登録部６３は、内線番号への端末の登録を行う。オペレーションＰＪにおいてメッセージ生成部６５は、端末の登録完了を知らせる登録完了メッセージを端末に送信する。その後に動作は終了する。
【０１５７】
オペレーションＰＫにおいてメッセージ生成部６５は、再接続要求メッセージを登録対象の端末に流し、正しい内線番号を指定して接続をやり直すことを端末のユーザに促す。その後に動作は終了する。オペレーションＰＬにおいてメッセージ生成部６５は、認証失敗メッセージを登録対象の端末に流し、パスワードが正しくないことを端末のユーザに通知する。その後に動作は終了する。
【０１５８】
次に図３４を参照して、図３２の解除処理を説明する。オペレーションＱＡにおいて端末情報登録部６３は、解除対象の端末が、内線を利用する端末として内線利用データ６８に登録されているか否かを判断する。解除対象の端末が登録されている場合（オペレーションＱＡ：Ｙ）に処理はオペレーションＱＢに進む。解除対象の端末が登録されている場合（オペレーションＱＡ：Ｎ）に処理はオペレーションＱＧに進む。
【０１５９】
オペレーションＱＢにおいて内線情報登録要求部６４は、端末の解除に伴うプロファイル変更要求をセンタサーバ２０に送信する。オペレーションＱＣにおいて内線情報登録要求部６４は、センタサーバ２０から解除結果を受信する。オペレーションＱＤにおいて端末情報登録部６３は、内線番号への端末の登録を解除する。オペレーションＱＥにおいてメッセージ生成部６５は、端末の解除完了を知らせる登録完了メッセージを解除対象の端末に送信する。オペレーションＱＦにおいて端末情報登録部６３は、解除された端末が登録されていた内線番号の初期端末を内線番号に登録する。その後に動作は終了する。
【０１６０】
オペレーションＱＧにおいてメッセージ生成部６５は、解除失敗メッセージを解除対象の端末に流し解除処理が失敗したことを端末のユーザに促す。
【０１６１】
次に、図３５を参照して、内線番号に登録される端末を内線端末１１に切り替える際の構内サーバ１０の動作の説明図である。オペレーションＲＡにおいて呼制御部６０は、内線端末１１からの発信を受信する。オペレーションＲＢにおいて呼制御部６０は、発信者側の内線端末１１の番号通知がINVITEメッセージにあるか否かを判断する。内線端末１１からの発信に発信側の番号通知がある場合（オペレーションＲＢ：Ｙ）に処理はオペレーションＲＣへ進む。内線端末１１からの発信に発信側の番号通知がない場合（オペレーションＲＢ：Ｎ）に処理はオペレーションＲＨへ進む。
【０１６２】
オペレーションＲＣにおいて呼制御部６０は、着信側番号が登録番号であるか否かを判断する。着信側番号が登録番号である場合（オペレーションＲＣ：Ｙ）に処理はオペレーションＲＤへ進む。着信側番号が登録番号でない場合（オペレーションＲＣ：Ｎ）に処理はオペレーションＲＥへ進む。オペレーションＲＤでは、送信側の内線端末１１への内線の登録処理が実行される。登録処理は図３３を参照して上述した処理と同様である。その後に処理はオペレーションＲＨへ進む。
【０１６３】
オペレーションＲＥにおいて呼制御部６０は、着信側番号が解除番号であるか否かを判断する。着信側番号が解除番号である場合（オペレーションＲＥ：Ｙ）に処理はオペレーションＲＦへ進む。着信側番号が解除番号でない場合（オペレーションＲＥ：Ｎ）に構内サーバ１０は、従来の処理を実行する。オペレーションＲＦでは、送信側の内線端末１１への内線登録の解除処理が実行される。解除処理については図３４を参照して後述する。その後に処理はオペレーションＲＨへ進む。
【０１６４】
オペレーションＲＧにおいてメッセージ生成部６５は、再接続要求メッセージを内線端末１１に流し、発信側の番号通知設定をオンにして再接続することを内線端末１１のユーザに促す。オペレーションＲＨにおいて呼制御部６０は内線端末との呼を切断する。その後に動作は終了する。
【０１６５】
＜５．２．２．自動解除動作＞
続いて、図３６を参照して内線番号の自動解除動作について説明する。オペレーションＳＡにおいて端末情報登録部６３は、内線利用データ６８に登録されているいずれかの内線番号を自動解除のチェック対象として決定する。オペレーションＳＢにおいて端末情報登録部６３は、内線番号に現在登録されている端末が初期端末であるか否かを判断する。現在登録されている端末が初期端末でない場合（オペレーションＳＢ：Ｙ）に処理はオペレーションＳＣへ進む。現在登録されている端末が初期端末である場合（オペレーションＳＢ：Ｎ）に処理はオペレーションＳＧへ進む。
【０１６６】
オペレーションＳＣにおいて端末情報登録部６３は、内線利用データ６８の情報要素「登録時刻」が示す対象の内線番号の登録時刻から、情報要素「解除期間」が示す期間が経過したか否かを判断する。解除期間が経過した場合（オペレーションＳＣ：Ｙ）に処理はオペレーションＳＤへ進む。解除期間が経過していなければ（オペレーションＳＣ：Ｎ）処理はオペレーションＳＧへ進む。
【０１６７】
オペレーションＳＤにおいて内線情報登録要求部６４は、端末の解除に伴うプロファイル変更要求をセンタサーバ２０に送信する。オペレーションＳＥにおいて内線情報登録要求部６４は、センタサーバ２０から解除結果を受信する。オペレーションＳＦにおいて端末情報登録部６３は、内線番号への端末の登録を解除する。
【０１６８】
オペレーションＳＧにおいて端末情報登録部６３は、全ての内線番号についてオペレーションＳＢ〜ＳＦのチェック処理を実行した否かを判断する。全ての内線番号についてチェック処理が完了した場合（オペレーションＳＧ：Ｙ）に処理は終了する。チェック処理が行われていない内線番号がある場合（オペレーションＳＧ：Ｎ）に処理はオペレーションＳＨへ進む。オペレーションＳＨにおいて端末情報登録部６３は、他の内線番号をチェック対象に決定し、処理をオペレーションＳＢへ戻す。
【０１６９】
＜５．２．３．通話時の動作＞
続いて、図３７を参照して内線端末１１が着信側である場合の通話時の構内サーバ１０の動作を説明する。オペレーションＴＡにおいて呼制御部６０は、センタサーバ２０からのINVITEメッセージを受信する。オペレーションＴＢにおいて呼制御部６０は、INVITEメッセージで指定された着信側番号が、内線利用データ６８に登録中の内線番号であるか否かを判断する。着信側番号が登録中の内線番号である場合（オペレーションＴＢ：Ｙ）に処理はオペレーションＴＣへ進む。着信側番号が登録中の内線番号でない場合（オペレーションＴＢ：Ｎ）に構内サーバ１０は従来の処理を実行する。
【０１７０】
オペレーションＴＣにおいて呼制御部６０は、内線利用データ６８を参照して、発信側の端末が内線番号に登録されているか否かを判断する。発信側の端末が内線番号に登録されている場合（オペレーションＴＣ：Ｙ）に処理はオペレーションＴＤへ進む。発信側の端末が内線番号に登録されていない場合（オペレーションＴＣ：Ｎ）に処理はオペレーションＴＥへ進む。オペレーションＴＤにおいて番号情報指定部６７は、発信側番号を、内線利用データ６８で発信側の端末に登録された内線番号に変換する。
【０１７１】
オペレーションＴＥにおいて呼制御部６０は、内線端末１１を呼び出す。その後に処理は終了する。
【０１７２】
続いて、図３８を参照して内線端末１１が発信側である場合の通話時の構内サーバ１０の動作を説明する。オペレーションＵＡにおいて呼制御部６０は、内線端末１１から発信されたダイヤル番号を受信する。オペレーションＵＢにおいて呼制御部６０は、着信側番号が、内線利用データ６８に登録中の内線番号であるか否かを判断する。着信側番号が登録されている場合（オペレーションＵＢ：Ｙ）に処理はオペレーションＵＣへ進む。着信側番号が登録されていない場合（オペレーションＵＢ：Ｎ）に構内サーバ１０は従来の処理を実行する。
【０１７３】
オペレーションＵＣにおいて呼制御部６０は、着信側の番号が内線番号であるか否かを判断する。着信側の番号が内線番号でない場合（オペレーションＵＣ：Ｎ）に処理はオペレーションＵＤへ進む。着信側の番号が内線番号の場合に、処理はオペレーションＵＩへ進む。オペレーションＵＤにおいて呼制御部６０は、内線利用データ６８に登録されている着信側の移動電話２１の移動電話番号を、着信側の電話番号として指定する。オペレーションＵＥにおいて呼制御部６０は、INVITEメッセージのヘッダに、発信側の内線番号「711-1111」を設定する。
【０１７４】
オペレーションＵＦにおいて呼制御部６０は、INVITEメッセージをセンタサーバに送信する。オペレーションＵＧにおいて呼制御部６０は、応答メッセージの待ち受け処理を行う。200 OKメッセージを受信した場合に呼制御部６０は動作を終了する。オペレーションＵＨにおいて呼制御部６０は、内線利用データ６８に登録されている着信側の内線端末１１の内線番号を、着信側の電話番号として指定する。オペレーションＵＩにおいて呼制御部６０は、発信側及び着信側の内線端末１１間の内線通話を接続する。その後に動作は終了する。
【０１７５】
＜６．実施例の効果＞
本実施例によれば、特定の内線番号に登録されている端末が利用できない場合であっても、ユーザが現在利用できる他の端末をこの内線番号に登録して、内線通話を発信及び着信することができる。
【０１７６】
また本実施例により内線番号が登録された移動電話２１から着信があった場合、着信側の端末には、ナンバーディスプレイ用の発信側番号として移動電話２１に登録された内線番号が通知される。このため、折り返し発信する場合に着信側の端末は、発信側番号として通知された内線番号に内線通話として発信すれば、そのまま発信側の移動電話２１を呼び出すことができる。このためユーザは、着信履歴から内線端末１１へ発信する操作と同じ操作で、発信側の移動電話２１に折り返し電話をすることができる。
【０１７７】
また、本実施例によれば、一定の解除期間を経過した場合に初期端末以外の端末への内線番号の登録が解除される。このため、解除処理を失念することによって本来意図していない移動電話２１や他の内線端末１１へ通話が着信してしまうことが防止できる。
【０１７８】
以上の実施例を含む実施形態に関し、更に以下の付記を開示する。
（付記１）
内線端末の呼接続処理を行う呼接続装置であって、
外線端末の呼接続処理を行う他の呼接続装置との間で、外線端末から発信される呼の接続処理を行う呼制御部と、
前記呼制御部により接続された外線端末との呼において前記外線端末から送信された内線の登録要求を受信する登録要求受信部と、
登録要求を送信した外線端末に、前記呼接続装置固有の識別子を含む内線番号を登録する端末登録部と、
前記外線端末に登録された内線番号を前記他の呼接続装置に通知する通知部と、
を備えることを特徴とする呼接続装置。
（付記２）
前記呼制御部は、外線端末に登録された内線番号を着信側番号とする内線端末の発呼を接続するための呼接続処理を前記他の呼接続装置と行うことを特徴とする付記１に記載の呼接続装置。
（付記３）
前記呼制御部は、発信側の内線端末の内線番号が付加された呼接続要求を前記他の呼接続装置へ送信することを特徴とする付記２に記載の呼接続装置。
（付記４）
外線端末の発呼の発信側番号として、外線端末に登録された内線番号を着信側の内線端末に通知する番号通知部を備えることを特徴とする付記１〜３のいずれか一項に記載の呼接続装置。
（付記５）
前記端末登録部は、登録要求を送信した外線端末に、他の外線端末に登録された内線番号を登録し、
前記通知部は、前記他の外線端末を特定するための情報を前記他の呼接続装置に通知する、ことを特徴とする付記１〜４のいずれか一項に記載の呼接続装置。
（付記６）
前記端末登録部は、外線端末に内線番号を登録してから所定期間経過後に登録を解除することを特徴とする付記１〜５のいずれか一項に記載の呼接続装置。
（付記７）
前記登録要求受信部は、外線端末に登録された内線番号の登録要求を内線番号から受信し、
前記端末登録部は、登録要求を送信した内線端末に、外線端末に登録された内線番号を登録し、
前記通知部は、内線端末を登録した内線番号に登録されていた外線端末を特定するための情報を前記他の呼接続装置に通知する、ことを特徴とする付記１〜６のいずれか一項に記載の呼接続装置。
（付記８）
前記端末登録部は、内線端末に内線番号を登録してから所定期間経過後に登録を解除することを特徴とする付記７のいずれか一項に記載の呼接続装置。
（付記９）
外線端末の呼接続処理を行う呼接続装置であって、
内線端末の呼接続処理を行う他の呼接続装置との間で、外線端末と内線端末と間の呼接続処理を行う呼制御部と、
前記他の呼接続装置により外線端末に登録された前記他の呼接続装置固有の識別子を含んだ内線番号を、前記他の呼接続装置から受信する受信部と、を備え、
前記呼制御部は、外線端末の発呼の着信側番号に指定された内線番号により識別される前記他の呼接続装置との間で、前記発呼を接続するための呼接続処理を行う、
ことを特徴とする呼接続装置。
（付記１０）
内線端末から外線端末への発呼を接続するための呼接続要求に付加された発信側の内線端末の内線番号を、前記発呼の発信側番号として、着信側の外線端末に通知する番号通知部を備えることを特徴とする付記９に記載の呼接続装置。
（付記１１）
内線端末の呼接続処理を行う第１の呼接続装置と外線端末の呼接続処理を行う第２の呼接続装置との間で、外線端末から発信される呼の接続処理を行い、
接続された前記呼において前記外線端末から送信された内線の登録要求を、第１の呼接続装置で受信し、
登録要求を送信した外線端末に第１の呼接続装置に固有の識別子を含む内線番号を登録し、
前記外線端末に登録された内線番号を第１の呼接続装置から第２の呼接続装置に通知する、
を備えることを特徴とする呼制御方法。
【符号の説明】
【０１７９】
１    通信システム
２    構内ネットワーク
３    事業者ネットワーク
１０    構内サーバ
１１、１１ａ〜１１ｃ    内線端末
１２、２２    ＩＰ網
２０    センタサーバ
２１、２１ａ〜２１ｃ    移動電話
【図１】
2014003577.tif 000003
【図２】
2014003577.tif 000004
【図３】
2014003577.tif 000005
【図４】
2014003577.tif 000006
【図５】
2014003577.tif 000007
【図６】
2014003577.tif 000008
【図７】
2014003577.tif 000009
【図８】
2014003577.tif 000010
【図９】
2014003577.tif 000011
【図１０】
2014003577.tif 000012
【図１１】
2014003577.tif 000013
【図１２】
2014003577.tif 000014
【図１３】
2014003577.tif 000015
【図１４】
2014003577.tif 000016
【図１５】
2014003577.tif 000017
【図１６】
2014003577.tif 000018
【図１７】
2014003577.tif 000019
【図１８】
2014003577.tif 000020
【図１９】
2014003577.tif 000021
【図２０】
2014003577.tif 000022
【図２１】
2014003577.tif 000023
【図２２】
2014003577.tif 000024
【図２３】
2014003577.tif 000025
【図２４】
2014003577.tif 000026
【図２５】
2014003577.tif 000027
【図２６】
2014003577.tif 000028
【図２７】
2014003577.tif 000029
【図２８】
2014003577.tif 000030
【図２９】
2014003577.tif 000031
【図３０】
2014003577.tif 000032
【図３１】
2014003577.tif 000033
【図３２】
2014003577.tif 000034
【図３３】
2014003577.tif 000035
【図３４】
2014003577.tif 000036
【図３５】
2014003577.tif 000037
【図３６】
2014003577.tif 000038
【図３７】
2014003577.tif 000039
【図３８】
2014003577.tif 000040